(57)【要約】      （修正有）【課題】未使用時にはフラットに折り畳むことができて非常にコンパクトで携帯性に優れ、かつ使用時には袋の口部を筒状に安定して保持することができ、しかも構造が簡単で製造コストの低減をも期すことのできる嘔吐袋を提供する。【解決手段】非透水性の材質よりなる袋１の開口上部に、適度の可撓性および保形性を有し、前記開口上部の少なくとも一部を囲むシート材よりなる口体７を設け、同口体は中央折り線５にて前記開口上部を開閉する方向に開きまたは閉じられる左右の翼体６を有し、各翼体には、前記中央折り線５とほぼ平行をなす第２の折り線８を設け、かつ、前記中央折り線の途中を始点とし、各翼体の上縁へ向って中央折り線を軸としてほぼ対称に斜めに延びる折込み線１０を設け、袋の開口上部を開いて前記中央折り線の上部を袋の内方に向って折り込むことができるように構成する。【選択図】図２
0003151951.tif 000002
【実用新案登録請求の範囲】
【請求項１】
非透水性の材質よりなる袋の開口上部に、適度の可撓性および保形性を有し、前記開口上部の少なくとも一部を囲むシート材よりなる口体を設け、同口体は中央折り線にて前記開口上部を開閉する方向に開きまたは閉じられる左右の翼体を有し、各翼体には、前記中央折り線とほぼ平行をなす第２の折り線を設け、かつ、前記中央折り線の途中を始点とし、各翼体の上縁へ向って中央折り線を軸としてほぼ対称に斜めに延びる折込み線を設け、袋の開口上部を開いて前記中央折り線の上部を袋の内方に向って折り込むことができるように構成してなる嘔吐袋。
【請求項２】
前記中央折り線、第２の折り線および折込み線を、すべて山折り線で構成してなる請求項１に記載の嘔吐袋。
【請求項３】
前記袋の開口上部における口体下方の相対する内面に、係脱可能な雌条と雄条よりなるシール用の直線ファスナを袋の横幅一杯に設けてなる請求項１に記載の嘔吐袋。
【請求項４】
前記第２の折り線の上端における口体の上縁に、切欠きを設けてなる請求項１に記載の嘔吐袋。
【請求項５】
前記袋の内部に、吐瀉物の水分を吸収する吸水剤を収容してなる請求項１に記載の嘔吐袋。
【請求項６】
前記口体を厚紙で構成してなる請求項１に記載の嘔吐袋。
【考案の詳細な説明】
【技術分野】
【０００１】
本考案は、乗り物酔いや体調不良時の吐瀉物を確実に収容して廃棄するのに好適な嘔吐袋に関する。
【背景技術】
【０００２】
乗り物酔いなどで気分が優れないときに吐瀉物を収容する嘔吐袋は、吐瀉物を確実に収容できるようにするために、袋の口部を確実に開いた状態で保持できるようにすることが望ましく、例えば嘔吐袋ではないが、尿を収容するための尿袋では、袋の口部にある程度の保形性を維持できる筒状の口体を設けたものがある（例えば、特許文献１参照）。
【０００３】
また、嘔吐袋は緊急時に使用できることが求められ、コンパクトで携帯性が良好であることも求められ、この要望は物流コストの点からも市場要望が高く、前述のような袋の開口部に設ける口体を折り畳めるように構成したものもある（例えば、特許文献２参照）。
【０００４】
しかしながら、未使用時の携帯性と使用時における袋の口部の保形性を高い次元で両立するものは実用化されていなかった。
【先行技術文献】
【特許文献】
【０００５】
【特許文献１】実公昭６２−３１４４号公報（第１、２頁、第１図および第２図）
【特許文献２】登録実用新案第３１３８０５５号公報（第１〜５頁、図１〜３）
【考案の概要】
【考案が解決しようとする課題】
【０００６】
本発明の目的とするところは、未使用時にはフラットに折り畳むことができて非常にコンパクトで携帯性に優れ、かつ使用時には袋の口部を筒状に安定して保持することができ、しかも構造が簡単で製造コストの低減をも期すことのできる嘔吐袋を提供できるようにすることにある。
【課題を解決するための手段】
【０００７】
上述した課題を解決するために、本考案に係る嘔吐袋は、非透水性の材質よりなる袋の開口上部に、適度の可撓性および保形性を有し、前記開口上部の少なくとも一部を囲むシート材よりなる口体を設け、同口体は中央折り線にて前記開口上部を開閉する方向に開きまたは閉じられる左右の翼体を有し、各翼体には、前記中央折り線とほぼ平行をなす第２の折り線を設け、かつ、前記中央折り線の途中を始点とし、各翼体の上縁へ向って中央折り線を軸としてほぼ対称に斜めに延びる折込み線を設け、袋の開口上部を開いて前記中央折り線の上部を袋の内方に向って折り込むことができるように構成したものとしてある。
【０００８】
また、前記中央折り線、第２の折り線および折込み線を、すべて山折り線で構成し、前記袋の開口上部における口体下方の相対する内面に、係脱可能な雌条と雄条よりなるシール用の直線ファスナを袋の横幅一杯に設け、前記第２の折り線の上端における口体の上縁に、切欠きを設けたものとしてある。
【０００９】
さらに、前記袋の内部に、吐瀉物の水分を吸収する吸水剤を収容し、あるいは前記口体を厚紙で構成したものとしてある。
【考案の効果】
【００１０】
本考案によれば、未使用時には翼体と袋と一緒にフラットに折り畳んでコンパクトな状態にしておくことができて携帯性に優れ、しかも使用時には、中央折り線と第２の折り線において翼体がスムースに筒状に拡がり、折込み線で囲まれる部分（ロック片部）を袋の内側へ向けて折り込むことにより、口体の左右の翼体が離間された状態で維持され、したがって袋の開口上部を開いた上体で安定よろしく維持することができる。
【００１１】
また、内側へ向って折り込まれたロック片部は、使用時において使用者の鼻や鼻の下に安定よく接触して使用者に安心感を与えることができるとともに、吐瀉物の跳ね返りを防止する効果も期することができる。
【００１２】
さらに、使用後においては前記折込み線で囲まれた部分を外側に向けて引起すだけで簡単に口体部分を折り畳むことができる。
【図面の簡単な説明】
【００１３】
【図１】本考案に係る嘔吐袋の実施例を示す正面図。
【図２】口体を開いた状態を示す斜視図。
【図３】図１のＡ−Ａ線断面図。
【図４】口体の展開図。
【図５】直線ファスナを閉じた状態を示す拡大断面図。
【図６】ロック片部を折り込んだ状態を示す斜視図。
【考案を実施するための形態】
【００１４】
以下、本考案に係る嘔吐袋の実施例を添付図面に示す具体例に基づいて詳細に説明する。
袋１は、例えば合成樹脂等の非透水性の素材よりなる２枚のシートの両側部および下部の三方をヒートシール（ヒートシール部４）して形成したものとしてあって、開口上部２の内面には、係脱可能な雌条３ａと雄条３ｂよりなるシール用の直線ファスナ３を袋の横幅一杯に設けてある。
【００１５】
前記直線ファスナ３の上部には、中央折り線５で二つ折りに形成された左右の翼体６、６を備える、例えば厚紙よりなる口体７を取り付けてあって、袋の開口上部と翼体が一体となって開閉されるように構成してある。
【００１６】
しかして、前記口体７は図４に展開図によって示されるように、左右の翼体にそれぞれ前記中央折り線５とほぼ平行をなす第２の折り線８、８を２本ずつ形成してあり、これら第２の折り線の上端部、すなわち第２の折り線と口体７の上縁との交差部分には、それぞれ切り欠き９を設けてある。
【００１７】
また、前記中央折り線５の途中を始点とし、中央折り線を軸として各翼体６、６の上縁へ向ってほぼ対称に斜めに延びる折込み線１０、１０を設けてある。
【００１８】
前記中央折り線５、第２の折り線８、８、および折込み線１０、１０は全て口体の外側から見て山折り線で構成されていて、製造時には口体の素材シートの片面からの型押しで簡単に制作できるようになっている。山折り線の型押しは、表面からの切り込み、筋押し、ミシン目等、口体の素材に応じて公知の手段で適宜付せばよい。
なお、各折り線および折り込み線は、図中一点鎖線で示した。
【００１９】
以下、上述のように構成した本考案の嘔吐袋の作用について説明する。
未使用時の嘔吐袋は、袋１が平坦に折り畳まれ、かつ口体７もその翼体６、６が前記中央折り線５にて折り畳まれ、フラットで携帯に極めて便利な状態としておくことができるようになっている。
【００２０】
そして使用時においては、まず図２に示されるように前記直線ファスナ３を開いて袋１の開口上部を開き、各翼体６、６は第２の折り線８、８においてスムースに山折りになって口体全体が筒状をなし、口体７の左右の翼体６、６が離間される。
【００２１】
その後、前記中央折り線５の上部を開口部の中央に向けて押し込むと、図６に示されるように左右の翼体６、６間に、折込み線１０、１０で囲まれるロック片部１１が入り込み、翼体間の間隔が保持される。
【００２２】
使用後においては、前記ロック片部１１を図２に示されるようにもとの位置に持ち上げてロックを解除し、さらに図５に示されるように直線ファスナ３の雌条３ａと雄条３ｂを係合せしめて袋１内を密封する。
【００２３】
本実施例の嘔吐袋では、図示省略の吸水剤を袋１内に設けておき、使用後において袋内に収容された吐瀉物の水分をこの吸水剤によって保持し、嘔吐袋の処理時に内容物が漏れ出しにくいようにする。
【００２４】
上述した実施例のものでは口体７を厚紙で構成しているが、ここでいう厚紙はボール紙などの厚紙そのものや、厚紙の表面に適宜の被覆を施したものも含まれる。そして厚紙の表面に袋１と同等の素材を被覆したものでは、溶着による袋への取り付けを容易に行うことができ、また表面の防水性をも得ることができるというメリットがある。
なお、口体７は折り目を介して折り畳むことができ、適度の保形性を有するシート状の素材であれば、例えば合成樹脂シートや合成紙などを使用する場合もある。
【００２５】
また、前記第２の折り線８、８の本数は使用時における開口部の広がりに応じて１本ずつしか設けない場合や３本以上設ける場合、あるいは設けない場合もあり、また第２の折り線上部における切り欠きはこれらを設けることによって第２の折り線８、８の折り曲げを容易にすることができるのであるが、口体７の素材によっては設けない場合もある。
【００２６】
さらに、口体７を袋１の開口上部の内面に取り付けてあるが、外面に取り付けるようにしてもよく、また、口体７は袋１の開口上部全体を囲むのではなく、一部だけを囲むように翼体の短いものとしたり、短いものの場合は複数の口体を設けたりしてもよい。
【符号の説明】
【００２７】
１  袋
２  開口上部
３  直線ファスナ
４  ヒートシール部
５  中央折り線
６  翼体
７  口体
８  第２の折り線
９  切り欠き
１０  折込み線
１１  ロック片部
【図１】
0003151951.tif 000003
【図２】
0003151951.tif 000004
【図３】
0003151951.tif 000005
【図４】
0003151951.tif 000006
【図５】
0003151951.tif 000007
【図６】
0003151951.tif 000008